(57)【要約】【課題】防水・防湿機能を有する小型バイブレータを提供する。【解決手段】振動モータ７を備えた略円柱状の本体１０を、蓋体２０と、底部３２に開口３３を有するハウジング３０に収容する構造であり、ハウジング３０の内底には周縁にフランジ部４１を有する弾性スイッチ部材４０を設けて開口３３を密に閉塞する。そして蓋体を本体に装着して固定することにより、本体１０のＯリング１３と蓋体２０とが互いに密着して本体の凹部１１を密閉する一方、ハウジング３０内の受け部３２で弾性スイッチ部材４０を支持するハウジング３０を回路基板８に対向する側から本体１０に装着することにより、フランジ部４１が本体の端縁部１６と受け部３２の間に挟着されて本体内部を密閉する構成である。【選択図】図４
2007167201.tif 000002
【特許請求の範囲】
【請求項１】
振動モータを備えた略円柱状の本体を、蓋体と、底部に開口を有するハウジングに収容した小型バイブレータであって、
前記本体は、軸方向の一端側に形成されるボタン電池を収容する凹部と、この凹部の外側面に設けられ、前記蓋体と密に係合する溝と、前記蓋体の端面若しくは内面に圧接するＯリングと、軸方向の他端側に配置され、前記振動モータを駆動する回路基板とを備え、
前記ハウジングは、周縁にフランジ部を有する弾性スイッチ部材を内底に設けて前記開口を密に閉塞すると共に、内周面に前記フランジ部の受け部を備えており、
蓋体を前記凹部に対向する側から本体に装着して前記溝に係合することにより、蓋体とＯリングが互いに密着して前記凹部を密閉する一方、前記受け部で弾性スイッチ部材を支持するハウジングを前記回路基板に対向する側から本体に装着することにより、前記フランジ部が本体の端縁部と前記受け部の間に挟着されて本体内部を密閉する構成としたことを特徴とする小型バイブレータ。
【請求項２】
前記ハウジングの内面と前記本体の外面は接着剤で一体化した請求項１記載の小型バイブレータ。
【請求項３】
前記回路基板は、前記弾性スイッチ部材と対向する面に、互いに非接触で近接配置された一対の電極を備える一方、前記弾性スイッチ部材はこの一対の電極に対応して前記回路基板側に向けて突出する突部を備え、この突部の先端に導電部材を付設した請求項１又は２記載の小型バイブレータ。
【発明の詳細な説明】
【技術分野】
【０００１】
本発明は、小型バイブレータに関し、特に性行為に際して男性機能を補助するために男性器に装着して使用される男性機能補助リング用に適した小型バイブレータに関する。
【背景技術】
【０００２】
従来、男性機能を補助するため、男性器の挿入孔を形成したリングに対して小型バイブレータを着脱自在に設ける空洞部を形成したものが公知である（例えば特許文献１）。この男性機能補助リングは、リングの締め付け作用によって男性器を圧迫して血液の環流を阻止し、男性器を勃起状態に持続すると共に、小型バイブレータの刺激作用によって男性器を勃起状態にして射精へと誘導することができる。また小型バイブレータの振動刺激は女性側にも伝達し、女性に対する性感作用も有している。
【０００３】
【特許文献１】特開２００３−１３５５０１号公報
【発明の開示】
【発明が解決しようとする課題】
【０００４】
ところが、上記男性機能補助リングに取り付けられる従来の小型バイブレータはそれ自体が防水・防湿機能を有しておらず、リングの空洞部に密封装着されることにより、バイブレータ内部に体液等が侵入するのを防ぐものであった。しかし、空洞部の着脱口からは小型バイブレータの一部が露出しており、その露出部分からバイブレータ内部に体液等が侵入して故障する可能性があり、上述した本来の作用を発揮できなくなるという問題がある。
【０００５】
本発明は、上記従来の問題点を解決することを目的としてなされたものであり、それ自体が防水・防湿機能を有する小型バイブレータを提供するものである。
【課題を解決するための手段】
【０００６】
上記目的を達成するため、本発明が解決手段として採用したところは、振動モータを備えた略円柱状の本体を、蓋体と、底部に開口を有するハウジングに収容した小型バイブレータであって、前記本体は、軸方向の一端側に形成されるボタン電池を収容する凹部と、この凹部の外側面に設けられ、前記蓋体と係合する溝と、前記蓋体の端面若しくは内面に圧接するＯリングと、軸方向の他端側に配置され、前記振動モータを駆動する回路基板とを備え、前記ハウジングは、周縁にフランジ部を有する弾性スイッチ部材を内底に設けて前記開口を密に閉塞すると共に、内周面に前記フランジ部の受け部を備えており、蓋体を前記凹部に対向する側から本体に装着して前記溝に係合することにより、蓋体とＯリングが互いに密着して前記凹部を密閉する一方、前記受け部で弾性スイッチ部材を支持するハウジングを前記回路基板に対向する側から本体に装着することにより、前記フランジ部が本体の端縁部と前記受け部の間に挟着されて本体内部を密閉する構成とした点にある。このため、本体の一端側に設けられるボタン電池を収容する凹部は、本体と係合して固定される蓋体と本体に設けたＯリングとが密着することにより密閉される一方、回路基板が配置された他端側は、弾性スイッチ部材のフランジ部がハウジングの受け部と本体の端縁部とによって挟着されたパッキン作用で密閉される。
【０００７】
また上記の小型バイブレータにおいては、前記ハウジングの内面と前記本体の外面が接着剤で一体化することが好ましい。これにより、ハウジングと本体の接着強度を増すことができると共に、小型バイブレータ内部の密閉効果を高めることができる。
【０００８】
また更に上記小型バイブレータにおいては、前記回路基板の前記弾性スイッチ部材と対向する面に、互いに非接触で近接配置された一対の電極を設ける一方、前記弾性スイッチ部材にはこの一対の電極に対応して前記回路基板側に向けて突出する突部を設け、その突部の先端に導電部材を付設した構成とすることが好ましい。これにより、弾性スイッチ部材の突部とその先端に設けた導電部材が回路基板上に配された一対の電極を導通状態とするスイッチ手段として機能することになる。
【発明の効果】
【０００９】
本発明に係る小型バイブレータによれば、本体と係合して固定される蓋体と、本体に設けたＯリングとが互いに密着すると共に、弾性スイッチ部材のフランジ部がハウジングの受け部と本体の端縁部とによって挟着される構成であるので、本体の凹部が設けられた一端側は蓋体とＯリングとの密着作用によって密閉される一方、回路基板が配置された他端側は弾性スイッチ部材のフランジ部のパッキン作用で密閉される。したがって、それ自体が防水・防湿機能を有する小型バイブレータが実現される。
【００１０】
またハウジングの内面と本体の外面を接着剤で一体化した構成とすることにより、ハウジングと本体の接着強度を増すことができると共に、小型バイブレータ内部の密閉効果を高めることができ、優れた防水・防湿機能を発揮する。
【００１１】
また更に、回路基板の弾性スイッチ部材と対向する面に、互いに非接触で近接配置された一対の電極を設ける一方、弾性スイッチ部材にはこの一対の電極に対応して回路基板側に向けて突出する突部を設け、その突部の先端に導電部材を付設した構成とすることにより、弾性スイッチ部材の突部とその先端に設けた導電部材が回路基板上に配された一対の電極を導通状態とするスイッチ手段として機能することになり、本体には別にオンオフ切換スイッチ等の部品を配置する必要がなくなることから、優れた防水・防湿機能を保持しつつも小型バイブレータの更なる小型化を図ることができる。
【発明を実施するための最良の形態】
【００１２】
以下図面に基づいて本発明の好ましい実施形態を詳述する。図１は本発明の一実施形態に係る小型バイブレータ１とこれが使用される男性機能補助リング２を示す斜視図である。男性機能補助リング２は中央に男性器の挿入孔３を設けたリング本体２ａを有し、そのリング本体２ａの側面上部にリングの前後方向に突出する突状部４を設けた構成である。その突状部４の前後方向の一方側には小型バイブレータ１を着脱するための着脱口５が形成され、更にその着脱口５の内側には小型バイブレータ１を隙間なく収容して保持する空洞部４が設けられる。この男性機能補助リング２の素材は、人体に悪影響がなく、男性器に装着可能な伸縮性を有する弾性素材であれば特に限定されるものではないが、例えば、軟質の共重合ゴム、膨潤エラストマゴム、シリコーンゴム等を使用することができる。
【００１３】
このような男性機能補助リング２に装着される小型バイブレータ１は図２に示す各部材が組み付けられて構成される。即ち、この小型バイブレータ１は、振動モータ７を内蔵した略円柱状の本体１を有し、この本体１の側面に設けた溝１４にＯリング１３を嵌着した構成として、蓋体２０が２個のボタン電池９，９を収容した本体１０の上部を封止すると共に、ハウジング３０とこのハウジング３０の内底に設けられる弾性スイッチ部材４０とが本体１０の下部を封止する構成である。弾性スイッチ部材４０を内底に設けたハウジング３０は本体１０に対して固着されるが、蓋体２０は、図３に示す如く、ボタン電池交換の度に本体１０から取り外す必要がある。そのため、本体１０の側面には蓋体２０を係止する溝１２を設けており、蓋体２０をこの溝１２に係合させて軸周りに回動することにより、本体１０と蓋体２０が着脱可能な構成としている。尚、振動モータ７及び回路基板８については説明を簡単にするために、図示を省略している。
【００１４】
図４及び図５は小型バイブレータ１の内部構造を示す断面図である。本体１０は、振動モータ７とこの振動モータ７の駆動回路が実装された回路基板８とを備え、軸方向の一端側（図例の場合は上端側）に２個のボタン電池９，９を収容する凹部１１が設けられており、この凹部１１の側壁外面には蓋体２０の内側面に設けた突部２１と係合する溝１２と、Ｏリング１３を嵌着するための溝１４とが設けられる。そして溝１４にはＯリング１３が嵌め込まれる。また本体１０の他端側（図例の場合、下端側）には多角形若しくは円形の回路基板８が軸方向と垂直に配置されており、この回路基板８の裏面側に振動モータ７が設けられ、本体１の凹部１１と回路基板８の間に振動モータ７を支持している。また回路基板８の表面側（図例の場合、下面側）の中央には互いに非接触で近接配置された一対の電極８ａ，８ｂが形成されており、その周辺には振動モータ７の駆動回路を構成する電子部品８ｃが実装されている。
【００１５】
ハウジング３０は回路基板８に対向する側から本体１０に嵌着するように構成され、略円筒状の側壁３１と、中央に開口３３を設けた底部３２とを備えており、内周壁には弾性スイッチ部材４０の周縁を受けて支持するための受け部３４が設けられる。尚、側壁３１の縁部内側には本体１０の溝１４の縁部に係合する爪３５が設けられる。
【００１６】
弾性スイッチ部材４０は、軟質の弾性材で形成された概略皿型状の形態であり、ハウジング３０の内底に前記開口３３を塞ぐ態様で配置される。この弾性スイッチ部材４０は、周縁にフランジ部４１を有すると共に、中央の凹部にはハウジング３０の内側に向けて突出する突部４２を形成し、その突部４２の先端にシート状の導電部材４４を付設している。そして突部４２の反対側にはハウジング３０の開口３３から外側に向けて突出する肉厚の操作部４３を設けた構成である。
【００１７】
この弾性スイッチ部材４０をハウジング３０の内側に配置してフランジ部４１がハウジング３０内の受け部３４に支持された状態とし、そのハウジング３０を回路基板８に対向する側から本体１０に装着する。ハウジング３０の爪３５が本体１０の溝１４の縁部に係合することにより、ハウジング３０が本体１０に対して固定されるが、このとき本体１０の側壁１５はハウジング３０の内壁に近接し、その側壁１５の先端部１６が弾性スイッチ部材４０のフランジ部４１に圧接する。これにより、弾性スイッチ部材４０のフランジ部４１は、本体１０の端縁部とハウジング３０の受け部３４の間に挟圧され、本体１０の内部を密閉する。つまり、弾性スイッチ部材４０のフランジ部４１は、ハウジング３０が本体１０に装着されたときにパッキンとして作用して本体１０の内部に体液等の液体が侵入するのを防止する。
【００１８】
また本体１０の側壁１５とハウジング３０の内壁との間には、全周にわたって接着剤が塗布される。この接着剤が硬化することによって本体１０とハウジング３０との接着強度を高めると共に、本体１０の内部への液体の侵入を防止して防水及び防湿効果を更に高めている。
【００１９】
一方、本体１０のボタン電池が収容された凹部１１には、蓋体２０が被せられ、突部２１が溝１２と係合することにより蓋体２０が本体１０に固定されると共に、その固定された蓋体２０の端面若しくは内面がＯリング１３に圧接する。このため蓋体２０は本体１０の周りに設けたＯリング１３と密着し、本体１０の凹部１１を密閉する。
【００２０】
このように小型バイブレータ１は、溝１２と係合する蓋体２０が本体１０に設けたＯリングに圧接することで本体１０の凹部１１を密閉する構造であると共に、ハウジング３０と本体１０がその間に弾性スイッチ部材４０のフランジ部４１を挟装し、且つ双方の壁面間には接着剤を設けて本体１０の下部側を密閉した構造であるので、優れた防水・防湿機能を発揮する。そのため、男性機能補助リングの空洞部６に装着して使用しても、小型バイブレータ１の内部に体液等の液体が侵入することはない。
【００２１】
以上のようにして構成される小型バイブレータ１では、ハウジング３０の開口３３に臨む弾性スイッチ部材４０の操作部４３が振動モータ７を作業させるスイッチとなる。つまり、小型バイブレータ１の内側で突出する弾性スイッチ部材４０の突部４２は、回路基板８に設けられた一対の電極８ａ，８ｂと対向するように配置されており、図５の矢印Ａで示す方向に指先で操作部４３を小型バイブレータ１の内側に向けて押し込み操作すると、弾性スイッチ部材４０が弾性変形して、突部４２の先端に設けられた導電部材４４が一対の電極８ａ，８ｂに接触し、これら一対の電極８ａ，８ｂを互いに導通させる。また操作部４３から指先を離すと、弾性スイッチ部材４０はその弾性力により元の形態（図４の状態）に復帰して一対の電極８ａ，８ｂは再び非導通状態となる。そして回路基板８に設けられた駆動回路は、例えば一対の電極８ａ，８ｂが互いに導通状態となるトリガを検知することにより、振動モータ７を駆動する。そして上記のような操作が行われる場合であっても、弾性スイッチ部材４０の周縁のフランジ部４１はハウジング３０と本体１０の間に挟持されたパッキン作用を維持するので、本体１０の内部に体液等が侵入する可能性はない。
【００２２】
しかも、本実施形態では弾性スイッチ部材４０に設けた突部４２と導電部材４４が、回路基板８に設けられた一対の電極８ａ，８ｂに直接接触して導通状態に遷移させることができるため、本体１０には別途オンオフ切換スイッチ等の専用部品を配置する必要がなくなり、小型バイブレータ１の更なる小型化が実現される。尚、本実施形態の小型バイブレータ１は直径約１８ｍｍ、長さ約２０ｍｍとして構成される場合を例示している。
【００２３】
また、回路基板８に設けた駆動回路が一対の電極８ａ，８ｂが導通状態とされるトリガを検知することにより、振動モータ７の動作パターンを切り換えて多様な振動パターンを実現する。図６は駆動回路による振動モータ７の制御の一態様を示すフローチャートである。振動モータ７が停止状態であるときに、操作部３４が押し込み操作され、駆動回路がそのトリガを検知すると（ステップＳ１）、振動モータ７を定常状態で駆動する（ステップＳ２）。このとき、振動モータ７は小型バイブレータ１を一定の振動パターンで振動させ、次に操作部４３が押し込み操作されるまでその振動を継続する。その後、操作部４３が再び押し込み操作され、駆動回路がそのトリガを検知した場合には（ステップＳ３）、振動モータ７を一定周期でオンオフ駆動する（ステップＳ４）。例えば５秒間の振動と１秒間の停止を繰り返し行うようにして、ステップＳ２の定常振動とは異なった振動刺激を付与するように駆動する。そして更に操作部４３が押し込み操作され、駆動回路がそのトリガを検知した場合には（ステップＳ５）、振動モータ７を再び停止状態とする（ステップＳ６）。尚、図例では駆動回路がトリガに応答して振動モータ７を２つの振動パターンで切り換える場合を示しているが、更に多くの振動パターンに切り換える構成としても良い。
【００２４】
以上のように駆動回路が、操作部４３の押し込み操作に基づくトリガを検知する都度、複数の振動パターンのうちから振動モータ７の振動パターンを順次に切り換えて駆動することにより、小型バイブレータ１は単調な振動パターンだけでなく、周期性のある多様な振動パターンで振動刺激を付与できるので、男性機能補助リング２を使用する際にはそれら複数の振動パターンから選択できるようになる。
【００２５】
したがって、本実施形態の小型バイブレータ１はそれ自体が優れた防水・防湿機能を有するだけでなく、振動モータ７のオンオフ操作するための専用部品を設ける必要がないので小型化に適した構成であると共に、多様な振動パターンで振動刺激を与えることができるバイブレータとして実現されている。
【００２６】
尚、本実施形態では小型バイブレータ１を男性機能補助リング２に装着して使用する場合を例示したが、その用途はこれに限定されるものではなく、その他の医療用途等にも利用できるものである。また医療用途以外にも利用することができる。
【図面の簡単な説明】
【００２７】
【図１】本発明の一実施形態に係る小型バイブレータとこれが使用される男性機能補助リングを示す斜視図である。
【図２】小型バイブレータの構成を示す図である。
【図３】小型バイブレータの電池交換時の態様を示す図である。
【図４】小型バイブレータ１の内部構造を示し、操作部を押し込み操作していない状態を示す断面図である。
【図５】小型バイブレータ１の内部構造を示し、操作部を押し込み操作した状態を示す断面図である。
【図６】駆動回路による振動モータの制御の一態様を示すフローチャートである。
【符号の説明】
【００２８】
１  小型バイブレータ
２  男性機能補助リング
７  振動モータ
８  回路基板
８ａ  電極
８ｂ  電極
９  ボタン電池
１０  本体
１１  凹部
１２  溝
１３  Ｏリング
１４  溝
２０  蓋体
３０  ハウジング
３３  開口
３４  受け部
４０  弾性スイッチ部材
４１  フランジ部
４２  突部
４３  操作部
４４  導電部材
【図１】
2007167201.tif 000003
【図２】
2007167201.tif 000004
【図３】
2007167201.tif 000005
【図４】
2007167201.tif 000006
【図５】
2007167201.tif 000007
【図６】
2007167201.tif 000008